(57)【要約】【課題】  単に街頭に設置するだけでその点灯する表示パネルにより消火器の設置位置を夜間でもはっきりと認識できるようになると共にこの表示パネルを利用して消火器の位置表示の他に，避難場所（誘導）表示や住所表示等をも行うことができる街頭用消火器ボックスを得る。【解決手段】  固定用のベースプレート２を下面に有する縦長の枠体１と、この枠体１の下の部分に組み込まれた消火器格納用のボックス３と、枠体１の上の部分に組み込まれた表示パネル５と、枠体１の上面などに設置したソーラーパネル６とを備え、ソーラーパネル６を電源として表示パネル５を点灯表示するようにしてなる。【選択図】    図１
0003114454.tif 000002
【実用新案登録請求の範囲】
【請求項１】
固定用のベースプレートを下面に有する縦長の枠体と、この枠体の下の部分に組み込まれた消火器格納用のボックスと、前記枠体の上の部分に組み込まれた表示パネルと、前記枠体の上面などに設置したソーラーパネルとを備え、前記ソーラーパネルを電源として前記表示パネルを点灯表示するようにしたことを特徴とする街頭用消火器ボックス。
【考案の詳細な説明】
【技術分野】
【０００１】
本考案は、消火器を街頭（歩道，歩道のない道路，壁，塀，フエンスなど）に設置するのに使用する街頭用消火器ボックスに関するものである。
【背景技術】
【０００２】
従来、消火器を歩道，歩道のない道路，壁，塀，フエンスなどの街頭に設置する場合、消火器格納箱により設置している。かかる消火器格納箱の設置位置を夜間でもはっきり認識できるようにするためには点灯表示用の電源が必要となるが、設置場所が街頭ということもあって電源の確保が難しいものになっている。
【考案の開示】
【考案が解決しようとする課題】
【０００３】
解決しようとする問題点は、現実の問題として殆どの場合、完全に仕上げられた状態の街頭に後付けの形で消火器格納箱を設置するために電源の確保に費用（工事費など）が掛かるので、その大半のものは電源のないままで設置されているが、そのために夜間には消火器格納箱の所在が解りずらく街頭での消火器設置の意味が半減するという点である。
【課題を解決するための手段】
【０００４】
本考案は、固定用のベースプレートを下面に有する縦長の枠体と、この枠体の下の部分に組み込まれた消火器格納用のボックスと、前記枠体の上の部分に組み込まれた表示パネルと、前記枠体の上面などに設置したソーラーパネルとを備え、前記ソーラーパネルを電源として前記表示パネルを点灯表示するようにしたことを特徴とする。
【考案の効果】
【０００５】
本考案は、街頭での電源工事が不要になるもその表示パネルが点灯表示するので、単に街頭に設置するだけでその点灯する表示パネルにより消火器の設置位置を夜間でもはっきりと認識できるようになると共にこの表示パネルを利用して消火器の位置表示の他に，避難場所（誘導）表示や住所表示等をも行うことができるという効果がある。
【考案を実施するための最良の形態】
【０００６】
消火器格納用のボックスと表示パネルとソーラーパネルとを備えて、このソーラーパネルを電源として表示パネルを点灯表示するようにして実現した。
【実施例１】
【０００７】
本考案の一実施例を図１〜図３について説明する。図１は設置状態を示す正面図、図２は図１を右からみた側面図、図３は図１を上からみた平面図である。
【０００８】
図において、１は門形に構成した縦長の枠体、２は枠体１の下面にあってアンカー固定される固定用のベースプレート、３は枠体１の下の部分に組み込まれかつ前面の開閉蓋から消火器を格納する構造のボックス、４は枠体１の中間部分に架設されてボックス３上に位置する蓄電機能収納部、５は枠体１の上の部分に複数枚（図面では２枚）組み込まれた表示パネル、６は枠体１の上面に設置したソーラーパネルで、これを電源として表示パネル５を点灯表示できるように蓄電機能収納部４内のバッテリー７との間を配線してある。              
【０００９】
街頭では図１，図２に示すようにアンカーボルト８（図面では４本）を用いてベースプレート２をアンカー固定することにより、本ボックス全体を街頭に強固に設置する。このように設置した状態では、ボックス３内に消火器が格納されているので、従来のものと同様に消火器格納箱として機能するし、例えば上の表示パネル５に避難場所（誘導）表示をしたり，下の表示パネル５に住所表示をしたりするとそれぞれの表示効果が得られる。
【００１０】
この設置した状態では、昼間ソーラーパネル６からバッテリー７に充電されるので、夜間にはバッテリー７により各表示パネル５が点灯表示される。こうして夜間使用する電力がソーラーパネル６により充電されバッテリー７に蓄電されることにより、電源なしで各表示パネル５の点灯表示が可能になる。
【００１１】
従って、夜間でも表示パネル５の点灯表示によって消火器の設置位置がはっきりと認識できるようになると共に、各表示パネル５にそれぞれ表示された避難場所（誘導）表示や住所表示による効果も得られるようになる。
【００１２】
表示パネル５の表示としては、消火器の位置表示の他に、前記したように避難場所（誘導）表示や住所表示ができるが、さらに近辺（観光）案内地図，マナー標語，広告，広報掲示板，グリーンプランターの各種表示も行うことが可能である。
【００１３】
また、本ボックスの付帯設備（部品）として、時計，警報器（サイレン、点滅灯），街路照明，防犯灯，緊急通報ボタン，アンテナ，灰皿などを備え付けることも可能であるし、これらの効果も合わせて得られるようになる。
【００１４】
なお、本実施例ではベースプレート２をアンカーボルト８により固定するものを示したが、設置場所（位置）との関係（状況）において他の固定手段により設置しても良いことは勿論である。
【００１５】
また、本実施例ではソーラーパネル６を枠体１の上面に設置したものを示したが、蓄電機能収納部４の上面あるいは枠体１の側面に突出した形で設置しても良いし、各表示パネル５を枠体１に二枚組み込んだものを示したが、表示の数，量に合わせて二枚に限らず何枚組み込んでも良い。
【実施例２】
【００１６】
本実施例は、上記実施例１において、表示パネル５をＥＬ発光パネルとし、バッテリー７をインバータとしたものである。
【００１７】
ＥＬ発光パネルは、発光層のＥＬ素子を電子が刺激して発光する無機ＥＬシートで、薄くて軽量な上、消費電力が少なく（蛍光灯の１／３）、発熱がない（地球温暖化防止の一助）、面発光なので均一で色むらがない、点滅が可能などの優れた効果を有し、ソーラーパネル６による太陽光発電装置との組み合わせで、街頭での使用で大きな効果を発揮する。
【実施例３】
【００１８】
以上の実施例では枠体１を有し、この枠体１にボックス３及び表示パネル５を組み込む構成のものを示したが、枠体１のない構成，例えばボックス３と表示パネル５を上下一体の構造体としても良く、ソーラーパネル６を電源として表示パネル５を点灯表示することにより得られる効果は同じである。
【産業上の利用可能性】
【００１９】
本考案は、消火器を街頭（歩道，歩道のない道路，壁，塀，フエンスなど）に設置するのに広く活用できる。
【図面の簡単な説明】
【００２０】
【図１】本考案の実施例１を示す正面図である。
【図２】図１を右からみた側面図である。
【図３】図１を上からみた平面図である。
【符号の説明】
【００２１】
１：枠体
２：ベースプレート
３：ボックス
４：蓄電機能収納部
５：表示パネル
６：ソーラーパネル
７：バッテリー
８：アンカーボルト
【図１】
0003114454.tif 000003
【図２】
0003114454.tif 000004
【図３】
0003114454.tif 000005